(57)【要約】【課題】記録媒体に色材を転移させる手段に対して色材を供給する技術を提供する。【解決手段】色材転移装置３０においては、色材を搬送する搬送空間を挟んだシールド電極３１３及びベース電極３１４の少なくともいずれか一方の電極に、面の法線方向が色材の搬送方向と同方向の成分を有する複数の反射板３１８が設けられており、各電極間に発生する電界の力によって色材を搬送する。このように、色材転移装置３０は、各電極間に発生する電界の力によって色材を搬送することによって、記録媒体に転移させる色材を転移ヘッド部３１ｃに供給する。【選択図】図２
2010194735.tif 000002
【特許請求の範囲】
【請求項１】
色材を搬送する搬送空間に露出した第１の電極及び第２の電極であって、少なくともいずれか一方の電極に、色材の搬送方向と同方向の成分を持つ法線を有する面が当該搬送方向に沿って複数設けられた第１の電極及び第２の電極と、
前記第１の電極と前記第２の電極との間に電圧を印加する電圧印加手段と、
前記搬送空間から該搬送空間以外の外部空間へと通じる複数の孔と、
前記複数の孔のうち、画像を表す画像データに応じた位置にある孔から、前記搬送空間を搬送されている色材を前記外部空間へと通過させ、該外部空間に存在する記録媒体へと転移させる転移手段と
を備えることを特徴とする色材転移装置。
【請求項２】
前記第１の電極又は前記第２の電極に、色材の搬送方向と逆方向の成分を持つ法線を有する面が設けられ、
色材の搬送方向と同方向の成分を持つ法線を有する前記面の面積が、色材の搬送方向と逆方向の成分を持つ法線を有する前記面の面積よりも大きい
ことを特徴とする請求項１記載の色材転移装置。
【請求項３】
前記搬送空間は、重力方向の成分を持たない方向に延びる第１の搬送空間と、重力方向の成分を持つ方向に延びる第２の搬送空間とを含み、
前記第１の搬送空間に露出する前記第１の電極又は前記第２の電極に設けられた、色材の搬送方向と同方向の成分を持つ法線を有する前記面の面積が、
前記第２の搬送空間に露出する前記第１の電極又は前記第２の電極に設けられた、色材の搬送方向と同方向の成分を持つ法線を有する前記面の面積よりも大きい
ことを特徴とする請求項１又は２に記載の色材転移装置。
【請求項４】
請求項１〜３のいずれか１項に記載の色材転移装置と、
画像データを取得し、前記色材転移装置に供給するデータ供給手段と、
前記データ供給手段によって供給された画像データに応じて前記色材転移装置により前記記録媒体に転移された色材を、当該記録媒体に定着させる定着手段と
を備えることを特徴とする画像形成装置。
【発明の詳細な説明】
【技術分野】
【０００１】
本発明は、色材転移装置及び画像形成装置に関する。
【背景技術】
【０００２】
例えば特許文献１には、色材を収容する筐体に複数の微少な孔を形成し、これら複数の孔のうち、画像データに応じた位置にある孔から色材を記録媒体に転移させることで、その記録媒体に画像を形成する装置が開示されている。また、例えば特許文献２には、この種の装置の構造を簡易化することで、コストを低減化する技術が開示されている。
【先行技術文献】
【特許文献】
【０００３】
【特許文献１】特開昭６２−２４８６６２号公報
【特許文献２】特開平０９−３００６８６号公報
【発明の概要】
【発明が解決しようとする課題】
【０００４】
本発明は、記録媒体に色材を転移させる手段に対して色材を供給する技術を提供することを目的とする。
【課題を解決するための手段】
【０００５】
請求項１に係る発明は、色材を搬送する搬送空間に露出した第１の電極及び第２の電極であって、少なくともいずれか一方の電極に、色材の搬送方向と同方向の成分を持つ法線を有する面が当該搬送方向に沿って複数設けられた第１の電極及び第２の電極と、前記第１の電極と前記第２の電極との間に電圧を印加する電圧印加手段と、前記搬送空間から該搬送空間以外の外部空間へと通じる複数の孔と、前記複数の孔のうち、画像を表す画像データに応じた位置にある孔から、前記搬送空間を搬送されている色材を前記外部空間へと通過させ、該外部空間に存在する記録媒体へと転移させる転移手段とを備えることを特徴とする色材転移装置である。
請求項２に係る発明は、請求項１記載の構成において、前記第１の電極又は前記第２の電極に、色材の搬送方向と逆方向の成分を持つ法線を有する面が設けられ、色材の搬送方向と同方向の成分を持つ法線を有する前記面の面積が、色材の搬送方向と逆方向の成分を持つ法線を有する前記面の面積よりも大きい。
請求項３に係る発明は、請求項１又は２に記載の構成において、前記搬送空間は、重力方向の成分を持たない方向に延びる第１の搬送空間と、重力方向の成分を持つ方向に延びる第２の搬送空間とを含み、前記第１の搬送空間に露出する前記第１の電極又は前記第２の電極に設けられた、色材の搬送方向と同方向の成分を持つ法線を有する前記面の面積が、前記第２の搬送空間に露出する前記第１の電極又は前記第２の電極に設けられた、色材の搬送方向と同方向の成分を持つ法線を有する前記面の面積よりも大きい。
請求項４に係る発明は、請求項１〜３のいずれか１項に記載の色材転移装置と、画像データを取得し、前記色材転移装置に供給するデータ供給手段と、前記データ供給手段によって供給された画像データに応じて前記色材転移装置により前記記録媒体に転移された色材を、当該記録媒体に定着させる定着手段とを備えることを特徴とする画像形成装置である。
【発明の効果】
【０００６】
請求項１に係る発明によれば、記録媒体に色材を転移させる手段に、搬送空間内の色材を供給することができる。
請求項２に係る発明によれば、搬送空間内において、一部に搬送方向とは逆方向に移動する色材があったとしても、色材を全体として搬送方向に搬送することができる。
請求項３に係る発明によれば、重力方向の成分を持つ方向に延びる第２の搬送空間における第１の電極及び第２の電極と、重力方向の成分を持たない方向に延びる第１の搬送空間における第１の電極及び第２の電極とが同等の構成である場合と比較して、第２の搬送空間における色材の搬送速度を遅く、又は、第１の搬送空間における色材の搬送速度を速くすることができる。
請求項４に係る発明によれば、記録媒体に色材を転移させる手段に色材を供給する画像形成装置を提供することができる。
【図面の簡単な説明】
【０００７】
【図１】本発明の実施形態に係る画像形成装置１の構造を示す図である。
【図２】同実施形態に係る転移部３１の構造を示す図である。
【図３】同実施形態に係る反射板３１８ａを構成する１つの山脈形状部分を拡大した図である。
【図４】同実施形態に係る供給部３１ｂの搬送空間内におけるトナーの挙動を説明する図である。
【図５】同実施形態に係る電界の向きを示す図である。
【図６】同実施形態に係る転移ヘッド部３１ｃによるトナーの転移動作を説明する図である。
【図７】同実施形態の変形例に係る反射板３１８の形状を示す図である。
【図８】同実施形態の変形例に係る供給部３１ｂの構造を示す図である。
【図９】同実施形態の変形例に係る供給部３１ｂの構造を示す図である。
【発明を実施するための形態】
【０００８】
以下、図面を参照して、本発明の実施形態について説明する。
（１）構成
図１は、本発明の実施形態に係る画像形成装置１の構造を示す図である。
画像形成装置１は、画像データに応じた画像を記録用紙２１に形成する画像形成装置の一例であり、制御部１０と、用紙供給搬送部２０と、色材転移装置３０と、定着装置４０とを備えている。制御部１０は、ＣＰＵ（Central Processing Unit）やメモリを備えており、例えば図示せぬスキャナなどの画像読取装置や、パーソナルコンピュータなどのクライアント装置等から、画像を表す画像データを取得し、その画像データに応じた画像を記録用紙に形成するために画像形成装置１内における各部の機能を制御する。用紙供給搬送部２０は、画像形成装置１内の各装置に記録用紙２１を搬送する部材であり、記録用紙２１を収容する用紙供給源２２と、記録用紙２１を搬送する複数の搬送ロール２３と、記録用紙２１を画像形成装置１の外に排出する排出口２４とを備えている。用紙供給源２２に収容された記録用紙２１は、画像が形成される記録媒体の一例であり、搬送ロール２３によって色材転移装置３０と定着装置４０とが設置された搬送経路Ｓ１上を搬送され、排出口２４から画像形成装置１の外に排出される。
【０００９】
色材転移装置３０は、転移部３１と、ベルト状対向電極３２と、電圧印加装置３３と、押し付けロール３４とを備え、制御部１０から入力された制御信号に応じて記録用紙２１にトナー像を形成する。転移部３１とベルト状対向電極３２は、搬送経路Ｓ１を挟んだ位置に非接触に設置されており、電圧印加装置３３からそれぞれ異なる電圧を印加されている。ベルト状対向電極３２は、少なくともいずれか一方が回転する支持ローラ３２ａ、３２ｂに支持された無端のベルト状の導電性部材であり、回転する支持ローラ３２ａ又は３２ｂによって図中矢印の方向に回転させられて、搬送経路Ｓ１上の記録用紙２１を搬送する。このとき、押し付けロール３４は、用紙供給搬送部２０から搬送されてくる記録用紙２１をベルト状対向電極３２の表面に押し付ける。この押し付けロール３４には、転移部３１が収容する導電性トナーの電荷とは逆極性で、且つ、ベルト状対向電極３２に対する印加電圧よりも小さい電圧が、電圧印加装置３３によって印加されている。或いは、この押し付けロール３４は接地されていてもよい。転移部３１は、イエロー（Ｙ）、マゼンタ（Ｍ）、シアン（Ｃ）及びブラック（Ｋ）の４色の導電性トナー（以下、単にトナーという）を収容しており、搬送経路Ｓ１上の記録用紙２１にトナーを転移させる。電圧印加装置３３は、色材転移装置３０に所定の直流電圧を印加する定常電圧印加装置３３ａと、制御部１０から入力された制御信号に応じて、後述する制御電極３１６にパルス電圧を印加するパルス電圧印加装置３３ｂとを備えている。定常電圧印加装置３３ａは、電圧印加手段の一例である。
定着装置４０は、定着手段の一例であり、加熱ロールと加圧ロールとを備えており、これらのロール部材によって記録用紙２１を加熱及び加圧することで記録用紙２１に形成されたトナー像を定着させる。
【００１０】
図２は、転移部３１の構造を示す図である。
転移部３１は、収容部３１ａと、供給部３１ｂと、転移ヘッド部３１ｃとを備えている。記録用紙２１は、ベルト状対向電極３２によって、図中矢印Ｄ方向、つまり下方から上方に搬送される。収容部３１ａは、搬送される記録用紙２１の幅方向に長手方向を有する中空の円筒状であり、内部にトナーを収容している。以下、搬送される記録用紙２１の長さ方向、つまり記録用紙２１の搬送方向を「副走査方向」といい、搬送される記録用紙２１の幅方向を「主走査方向」という。この収容部３１ａは、内部に収容したトナーを攪拌しつつ供給部３１ｂへ供給するためにアジテーター３１１を備えている。このアジテーター３１１は、回転軸から収容部３１ａの外縁に向かって延びる弾性部材であり、回転軸の軸方向に沿って設けられている。収容部３１ａと供給部３１ｂとは、上方と下方の２カ所で連結されており、そのうち、上方の連結部分には、回転軸を中心にして図中Ａ方向に回転するアジテーター３１１によって上方に押しやられたトナーを滞留させる滞留部３１２が設けられている。この滞留部３１２には、収容部３１ａから供給部３１ｂに供給されるトナーの量を一定量に規制するべく、所定の量以上のトナーが供給された場合には図中矢印Ｂの方向にトナーが落下する開口部が設けられている。これにより、供給部３１ｂがトナーで詰まりにくくなる。また、収容部３１ａと供給部３１ｂの下方の連結部分には、収容口３１７が設けられている。この収容口３１７は、滞留部３１２から落下したトナーを受け止める開口部を備えており、この開口部によって受け止めたトナーのほか、収容部３１ａから供給部３１ｂを経由して矢印Ｃ方向に搬送されてきたトナーを収容部３１ａへと収容する。
【００１１】
供給部３１ｂは、銅箔などの導電性を有するシールド電極３１３及びベース電極３１４を備えている。第１の電極の一例に相当するシールド電極３１３と、第２の電極の一例に相当するベース電極３１４とはいずれも、主走査方向に長手方向を有するレール状の導電性部材であり、主走査方向に直交する面で切ったときの断面がコの字状である。シールド電極３１４とベース電極３１４は、そのサイズが異なっており、シールド電極３１４の内側にベース電極３１４が配置されることで、シールド電極３１４の内側の面とベース電極３１４の外側の面との間には、トナーが通過し得る搬送空間が形成されている。これらシールド電極３１３とベース電極３１４の間には電圧印加装置３３から印加された直流電圧によって電界が形成される。また、シールド電極３１３には、トナーを記録用紙２１に転移させる転移ヘッド部３１ｃが設けられている。この転移ヘッド部３１ｃは、シールド電極３１３において主走査方向に所定の間隔を空けて開けられた複数の転移口３１９と、これらの各転移口３１９の周囲に設けられた絶縁層３１５と、その絶縁層３１５上に設けられた環状の制御電極３１６とを備えている。転移口３１９によって、搬送空間と、その搬送空間以外の外部空間とが通じている。制御電極３１６は、例えば銅箔などの導電性材料からなる電極であり、パルス電圧印加装置３３ｂに接続されている。制御電極３１６に対してパルス電圧印加装置３３ｂからパルス電圧が印加されると、そのパルス電圧の印加期間だけ、外部空間から搬送空間へと向かう方向の電界が形成される。この電界の作用により、搬送空間内にあるトナーが、転移口３１９を搬送空間からベルト状対向電極３２に向かって通過し、記録用紙２１に転移する。これによりドット状のトナー像が記録用紙２１に形成されることになる。このパルス電圧印加装置３３ｂ及び転移ヘッド部３１ｃは、トナーを記録用紙２１に転移させる転移手段の一例である。
【００１２】
シールド電極３１３において搬送空間に露出した面には、複数の山脈形状がトナーの搬送方向Ｃに沿って連続して成る反射板３１８が設けられている。ここで、図３は、反射板３１８を構成する１つの山脈形状を拡大した図である。
１つの山脈形状に相当する山脈形状部分３１８ａは、主走査方向に直交する面で切ったときの断面が三角形であり、その３つの内角４１ａ、４１ｂ、４１ｃが、それぞれ３０度、６０度、９０度である。故に、３辺４２ａ、４２ｂ、４２ｃの長さの比が、２：１：√３となる。この３辺のうち、長さが最長の辺４２ａがシールド電極３１３の外壁側（外部空間側）に位置し、さらに、残りの２辺のうちで長い方の辺４２ｃが、搬送空間におけるトナーの搬送方向（図２の矢印Ｃ方向）下流側に位置し、短い方の辺４２ｂが、トナーの搬送方向上流側に位置している。内角４１ｃが山脈形状の峰部分を形成しており、この峰は、主走査方向に延びている。辺４２ｃに相当するシールド電極３１３の電極面は、トナーの搬送方向と同方向の成分を持つ法線を有する面に相当し、辺４２ｂに相当するシールド電極３１３の電極面は、色材の搬送方向と逆方向の成分を持つ法線を有する面に相当する。
【００１３】
（２）動作
色材転移装置３０が記録用紙２１にトナー像を形成するときの動作を説明する。
収容部３１ａ内のアジテーター３１１は、図２の矢印Ａの方向に回転することでトナーを滞留部３１２に供給する。滞留部３１２に供給されたトナーは、その量が所定の量を超過しないように調整されながら、滞留部３１２を通過して供給部３１ｂの搬送空間へと至る。供給部３１ｂの搬送空間においては、シールド電極３１３及びベース電極３１４間に働く電界の作用によって、トナーが図中矢印Ｃの方向に搬送されていく。
【００１４】
図４は、供給部３１ｂの搬送空間内におけるトナーの挙動を説明する図である。
ベース電極３１４とシールド電極３１３との間には、定常電圧印加装置３３ａが印加した電圧によって、シールド電極３１３からベース電極３１４へ向かう方向の電界Ｅが形成される。ただし、この電界の方向は、電極面との境界においてはその電極面に垂直な方向となる。よって、図５に示すように、電界Ｅの方向は、厳密に言えば、まずは反射板３１８の山脈形状部分の辺４２cの電極面から垂直な方向となり、その後に、ベース電極３１４の電極面に近づくに従って、そのベース電極３１４の電極面に垂直な方向になる。
【００１５】
さて、図４においてベース電極３１４に接触しているトナーＴ１は、ベース電極３１４から注入された電荷を帯びて帯電する。そして、その電荷に電界Ｅが作用して発生した静電力が、ファンデルワールス力と重力との和を超えると、トナーは図中矢印Ｆ１の方向に飛翔してシールド電極３１３に付着する。この時、トナーＴ１が飛翔する図中矢印Ｆ１の方向は、図５で説明した電界Ｅの方向に概ね沿った方向になるから、ベース電極３１４の電極面に対して垂直な方向に飛翔してシールド電極に付着する。次にシールド電極３１３に付着したトナーＴ２は、シールド電極３１３から、トナーＴ１の状態のときとは逆極性の電荷が注入され、図中矢印Ｆ２の方向に飛翔してベース電極３１４に付着する。この時、トナーＴ２が飛翔する方向は、図５で説明した電界Ｅの方向に概ね沿った方向になるから、まずは、シールド電極３１３の反射板３１８の面に対して垂直の方向に飛翔し、その後に、ベース電極３１４の電極面に近づくに従って、徐々にそのベース電極３１４の電極面に垂直な方向になる。従って、トナーＴ２が飛翔する方向は、図中矢印Ｆ２のように、図中左方向（トナーの搬送方向）に凸となる湾曲形状に沿った方向となる。ただし、シールド電極３１３飛翔したトナーは一定の速度を持っているので、ベース電極３１４との境界においては完全な垂直な方向にはならず、トナーがベース電極３１４に付着する位置は幾分左方向、つまり搬送方向寄りになる。以後同様にして、ベース電極３１４に付着したトナーＴ３は、ベース電極３１４から電荷が注入され、ベース電極３１４に対して垂直の方向である図中矢印Ｆ３の方向に飛翔してシールド電極３１３に付着する。さらにシールド電極３１３に付着したトナーＴ４は、シールド電極３１３から電荷が注入され、図中矢印Ｆ４の方向に飛翔してベース電極３１４に付着し、トナーＴ５の状態となる。この時もトナーＴ４が飛翔する図中矢印Ｆ４の方向は、図中左方向に凸となる湾曲形状に沿った方向となる。搬送空間内において、多数のトナーが、上記のような電極間での往復運動を繰り返すことによって、霧状に飛散した状態で図中矢印Ｃの方向に移動する。
【００１６】
ただし、トナーは、反射板３１８の山脈形状部分の搬送方向下流側の電極面（図３で示した辺４２ｃに相当する面）だけではなく、上流側の電極面（図３で示した辺４２ｂに相当する面）にも付着する。上流側の電極面に付着したトナーＴ６は、シールド電極３１３から電荷が注入され、図中矢印Ｆ６の方向に飛翔してベース電極３１４に付着する。この時、トナーＴ６が飛翔する図中矢印Ｆ６の方向は、図５で説明した電界Ｅの方向に沿った方向になるから、トナー６は、搬送空間におけるトナーの搬送方向とは反対の方向に移動することになる。
【００１７】
しかし、辺４２ｂに相当する上流側の電極面の面積よりも、辺４２ｃに相当する下流側の電極面の面積の方が大きいから、トナーの搬送方向へと飛翔するトナーの方が、その逆方向へと飛翔するトナーよりも多い。よって、搬送空間内のトナーは全体的に図中矢印Ｃの方向に移動することになる。
【００１８】
画像データに応じた画像を記録用紙２１に形成する場合、制御部１０によって制御された用紙供給源２２から記録用紙２１が送り出され、さらに搬送経路Ｓ１上の色材転移装置３０が設置されている位置まで搬送される。色材転移装置３０は、転移部３１に対向する位置に記録用紙２１が到達すると、転移ヘッド部３１ｃからトナーが転移させられて、記録用紙２１にトナー像が形成される。
【００１９】
図６は、転移ヘッド部３１ｃによるトナーの転移動作を説明する図である。
まず、データ供給手段の一例である制御部１０は、記録用紙２１が転移ヘッド部３１ｃと対向する位置に搬送されてくると、そのタイミングに合わせて、画像データに応じた制御信号をパルス電圧印加装置３３ｂに入力する。この制御信号は、画像データに含まれる各画素の位置とその画素値を指定する信号である。パルス電圧印加装置３３ｂは、この制御信号によって指定された画素の位置に対応する制御電極３１６に対し、指定された画素値に対応する期間だけパルス電圧を印加する。このとき印加されたパルス電圧により生じる電界の作用で、電極間で往復運動を繰り返すトナーが、転移口３１９からベルト状対向電極３２上の記録用紙２１に転移して、ドット状のトナー像が形成されることになる。これによってトナー像が形成された記録用紙２１は、搬送経路Ｓ１上を定着装置４０まで搬送される。そして、定着装置４０は、加熱ロールと加圧ロールによって記録用紙２１を加熱及び加圧することでトナー像を記録用紙２１に定着させる。トナー像が定着させられた記録用紙２１は、搬送されて排出口２４から画像形成装置１の外に排出される。
【００２０】
（３）変形例
（３−１）変形例１
上記実施形態において、反射板３１８の１つの山脈形状部分の断面は、内角が３０度、６０度、９０度で、最長の辺がシールド電極３１３の外部空間側に位置する三角形であったが、反射板３１８の形状はこれに限るものではない。
図７は、変形例に係る反射板３１８の形状を示す図である。
反射板３１８の１つの山脈形状部分は、図７（ａ）のように内角４１ｃが鋭角である三角形であってもよいし、図７（ｂ）のように内角４１ｂが鈍角である三角形であっても良い。また、図７（ｃ）のように三角形ではなく扇型のような形状であってもよいし、図７（ｄ）のように、法線Ｓがトナーの搬送方向（矢印Ｃ方向）と同方向の成分を有するような面を有する板状の部材であってもよい。つまり、反射板３１８は、その法線がトナーの搬送方向と同方向の成分を持つ面を有していれば良い。さらに、その法線がトナーの搬送方向と同方向の成分を持つ面と、法線がトナーの搬送方向と逆方向の成分を持つ面との双方を有している場合には、前者の面の面積が、後者の面の面積よりも大きいという条件を満たしていれば良い。
【００２１】
（３−２）変形例２
上記実施形態において、反射板３１８はシールド電極３１３側のみに設けられていたが、反射板３１８が設けられる箇所はこれに限るものではない。
図８は、変形例に係る供給部３１ｂの構造を示す図である。
反射板３１８において、その法線がトナーの搬送方向と同方向の成分を持つ面（以下、搬送方向を向く面と称する）の面積が大きくなると、トナーの搬送量が増加する。つまり、供給部３１ｂにおいて、シールド電極３１３側とベース電極３１４側との双方に反射板３１８を設けると、一方の電極にのみに反射板３１８が設けられていた場合に比べて、搬送方向を向く面の面積が大きくなるため、搬送するトナーの量が増加する。よって、搬送したいトナーの量に応じて、供給部３１ｂのシールド電極３１３側とベース電極３１４側との何れか少なくとも一方に反射板３１８が設けられていればよい。
【００２２】
（３−３）変形例３
上述したように、搬送方向を向く面の面積が大きくなるとトナーの搬送量が増加する。そこで、反射板３１８を構成する山脈形状部分の形そのものや、その大きさや、その数を変えることで、搬送方向の面の面積を調整し、その結果、トナーの搬送量を調整することができる。
図９は、変形例に係る供給部３１ｂの構造を示す図である。
図９において、領域ａ，ｃに含まれる搬送空間は、重力方向（図の上方から下方に向かう方向を重力方向とする）の成分を持たない方向に延びる第１の搬送空間であり、領域ｂに含まれる搬送空間は、重力方向の成分を持つ方向に延びる第２の搬送空間である。第２の搬送空間では、十分な量のトナーが滞留している方が、転移ヘッド部３１ｃからトナーが記録用紙に転移しやすくなるため、トナーの搬送速度は、第１の搬送空間に比べて遅くても良い。そこで、領域ａの第１の搬送空間においては、反射板３１８をシールド電極３１３側とベース電極３１４側とに設けることで、反射板３１８が一方の電極に設けられた場合よりも、搬送方向を向く面の面積を大きくし、より多くのトナーを搬送する。また、領域ｂの第２の搬送空間においては、トナーが重力によって自然に図中矢印Ｃの方向に移動するので、領域ａに比べて搬送方向を向く面の面積が小さくても、必要とされるトナーの搬送量を充足する。そこで、領域ｂの第２の搬送空間においては、反射板３１８をシールド電極３１３側のみに設ける。そして、領域ｃの第１の搬送空間においては、その搬送空間内にトナーが滞留することのないよう、早くトナーを収容部３１ａに排出させるべく、領域ａと同様に、反射板３１８がシールド電極３１３側とベース電極３１４側とに設けられている。このように、搬送空間において要求されるトナー搬送量乃至搬送速度に応じて、搬送方向を向く面の面積を調整すればよい。
【符号の説明】
【００２３】
１…画像形成装置、１０…制御部、２０…用紙供給搬送部、２１…記録用紙、２２…用紙供給源、２３…搬送ロール、２４…排出口、Ｓ１…搬送経路、３０…色材転移装置、３１…転移部、３１ａ…収容部、３１ｂ…供給部、３１ｃ…転移ヘッド部、３１１・・・アジテーター、３１２…滞留部、３１３・・・シールド電極、３１４・・・ベース電極、３１５…絶縁層、３１６…制御電極、３１７…収容口、３１８・・・反射板、３１８ａ・・・反射壁単位部分、３１９・・・転移口、３２…ベルト状対向電極、３２ａ…支持ローラ、３３…電圧印加装置、３３ａ・・・定常電圧印加装置、３３ｂ…パルス電圧印加装置、３４…押し付けロール、４０…定着装置。
【図１】
2010194735.tif 000003
【図２】
2010194735.tif 000004
【図３】
2010194735.tif 000005
【図４】
2010194735.tif 000006
【図５】
2010194735.tif 000007
【図６】
2010194735.tif 000008
【図７】
2010194735.tif 000009
【図８】
2010194735.tif 000010
【図９】
2010194735.tif 000011